(57)【要約】【課題】在宅訪問先での歯科診療に使用する器材の全部を一括して運搬できるとともに、該器材の一部を交換、修理、運搬することが可能な在宅訪問歯科診療装置を提供する。【解決手段】在宅訪問歯科診療装置１００は、在宅訪問先での歯科診療に用いる器材を収納するための複数のセル１１１〜１１３と、複数のセル１１１〜１１３の少なくとも一部を搬送するためのカート１５０と、セル１１１〜１１３をカート１５０に着脱自在に接続する接続部１７０とを備えている。【選択図】図１
2014144134.tif 000002
【特許請求の範囲】
【請求項１】
在宅訪問先での歯科診療に用いる器材を収納するための複数のセルと、
前記複数のセルの少なくとも一部を搬送するためのカートと、
前記セルを前記カートに着脱自在に接続する接続部と、
を備えることを特徴とする在宅訪問歯科診療装置。
【請求項２】
前記セルは、予め定められた最小サイズの基準立体形状における正面視および／または側面視して横寸法および高さ寸法をそれぞれ別個に予め定められた整数倍して規定される直方体の内部に収まるサイズに設定されている
ことを特徴とする請求項１に記載の在宅訪問歯科診療装置。
【請求項３】
前記接続部は、前記セルを前記カートに対して個々に着脱自在に接続する
ことを特徴とする請求項１または請求項２に記載の在宅訪問歯科診療装置。
【請求項４】
前記接続部は、前記カートに備えられた支柱に取り付けられるフック部材と、前記セルに接続され前記フック部材に引っ掛け可能な吊下げ部材と、を有する
ことを特徴とする請求項３に記載の在宅訪問歯科診療装置。
【請求項５】
前記接続部は、前記カートに備えられた支柱に取り付けられる枝部材と、前記セルの上面に設けられ前記枝部材が挿入する円筒部材と、を有する
ことを特徴とする請求項３に記載の在宅訪問歯科診療装置。
【請求項６】
前記接続部は、前記カートに備えられた支柱に固定される略Ｕ字形状に湾曲して形成された湾曲部材と、前記セルに設けられ前記湾曲部材に引っ掛け可能な棒部材と、を有する
ことを特徴とする請求項３に記載の在宅訪問歯科診療装置。
【請求項７】
前記複数のセルのうちの少なくとも２個以上のセルを連結する連結部をさらに備え、
前記接続部は、前記連結部により連結された２個以上のセルを前記カートに対して一括して着脱自在に接続する
ことを特徴とする請求項１または請求項２に記載の在宅訪問歯科診療装置。
【請求項８】
前記複数のセルのうちの一つは、コンプレッサ、モータ、および排唾用バキューム装置のうちのコンプレッサのみを収納するセルである
ことを特徴とする請求項１から請求項７のいずれか１項に記載の在宅訪問歯科診療装置。
【請求項９】
前記セルの前記カートに対する移動ずれを抑える保持部材をさらに備えている
ことを特徴とする請求項１から請求項８のいずれか１項に記載の在宅訪問歯科診療装置。
【請求項１０】
前記カートには、コンセントを備え外部電源から電力を受けて前記コンセントに該電力を供給する電力供給部が設けられている
ことを特徴とする請求項１から請求項９のいずれか１項に記載の在宅訪問歯科診療装置。
【請求項１１】
前記カートは、キャスタが設けられたベース部を有する第１カート部と、該第１カート部の前記ベース部上に配置される第２カート部とを備え、
前記接続部は、前記セルを前記第２カート部に着脱自在に接続する
ことを特徴とする請求項１から請求項１０のいずれか１項に記載の在宅訪問歯科診療装置。
【発明の詳細な説明】
【技術分野】
【０００１】
本発明は、在宅訪問歯科診療装置に関し、より詳しくは、在宅訪問先で使用するための歯科診療装置に関する。
【背景技術】
【０００２】
本技術分野の背景技術として、特開平９−７５３７７号公報（特許文献１）に記載の技術が知られている。この公報には、携帯用歯科治療ユニット本体と、該ユニット本体に一体的に取り付けられたコンプレッサ及びバキューム装置と、該ユニット本体に対して着脱自在のマイクロエンジン，バキューム，シリンジ等の歯科治療用インスツルメント，気液分離タンク，及び、商用電源端子を有する、往診用歯科治療ユニットが開示されている。また、この往診用歯科治療ユニットのユニット本体は、薬品，器具等の小物を入れるための小物入れを一体的に有している。
【先行技術文献】
【特許文献】
【０００３】
【特許文献１】特開平９−７５３７７号公報
【発明の概要】
【発明が解決しようとする課題】
【０００４】
特許文献１に記載の技術では、在宅訪問先に往診用歯科治療ユニットを持って行けば、コンプレッサ、バキューム装置等を用いた歯科診療が可能になるとともに、薬品，器具等の小物を忘れる心配もなくなる。
【０００５】
しかしながら、特許文献１に記載の往診用歯科治療ユニットにおいては、コンプレッサ及びバキューム装置等の器具や小物入れがユニット本体に一体的に設けられているため、一部が故障または損傷した場合でも、往診用歯科治療ユニット全体を交換または修理する必要がある。このため、交換の場合には多大なコストが発生するとともに、修理の場合には故障や損傷のない部分の利用が制限されてしまうという問題がある。
【０００６】
また、在宅訪問先によっては往診用歯科治療ユニットの一部しか使用しない場合があるが、この場合でも、往診用歯科治療ユニット全体を在宅訪問先に持ち運ばなければならない。このため、運搬作業に余計な労力を要するとともに、在宅訪問先において往診用歯科治療ユニットによる余計な占有スペースが生じてしまうという問題もある。さらには、運搬途中に階段等の運搬困難な場所がある場合には、往診用歯科治療ユニット全体を運搬するのに多大な労力を要するという問題もある。
【０００７】
本発明は、前記した事情に鑑みてなされたものであり、在宅訪問先での歯科診療に使用する器材の全部を一括して運搬できるとともに、該器材の一部を交換、修理、運搬することが可能な在宅訪問歯科診療装置を提供することを課題とする。
【課題を解決するための手段】
【０００８】
前記課題を解決するため、請求項１に記載の発明は、在宅訪問先での歯科診療に用いる器材を収納するための複数のセルと、前記複数のセルの少なくとも一部を搬送するためのカートと、前記セルを前記カートに着脱自在に接続する接続部と、を備えることを特徴とする在宅訪問歯科診療装置である。
【０００９】
この発明によれば、複数のセルの全部をカートに接続して装着することができるとともに、複数のセルの一部をカートに接続して装着することもできる。
したがって、例えば複数のセルの一部が故障または損傷した場合には該当するセルのみを分離させて交換または修理することができるため、多大な交換コストが生じたり、修理時に故障または損傷のないセルが利用できなかったりすることを防止できる。
また、例えば複数のセルの一部しか使用しない場合には使用予定のセルのみを在宅訪問先に持ち運べばよいため、運搬作業の労力を軽減できるとともに、在宅訪問先での在宅訪問歯科診療装置による占有スペースを縮小できる。さらには、在宅訪問歯科診療装置の運搬途中に階段等の運搬困難な場所があっても、複数のセルを分割して運搬できるため、運搬作業の労力を軽減できる。
このように、この発明によれば、在宅訪問先での歯科診療に使用する器材の全部を一括して運搬できるとともに、該器材の一部を交換、修理、運搬することが可能な在宅訪問歯科診療装置を提供できる。
【００１０】
請求項２に記載の発明は、請求項１に記載の在宅訪問歯科診療装置であって、前記セルは、予め定められた最小サイズの基準立体形状における正面視および／または側面視して横寸法および高さ寸法をそれぞれ別個に予め定められた整数倍して規定される直方体の内部に収まるサイズに設定されていることを特徴とする。
【００１１】
このような構成によれば、セルに収納される例えばコンプレッサ等の特定の器材の種類が複数存在したり、新しい種類が開発されたりする場合には、現在使用しているセルと自在に交換することができる。また、カートに接続されるセルの配置を、必要に応じて容易に変更することができる。すなわち、在宅訪問歯科診療装置に搭載するセルを適宜選択して、自在に組合わせ、追加、変更、除去を行うことが可能となり、利便性が高まる。
【００１２】
請求項３に記載の発明は、請求項１または請求項２に記載の在宅訪問歯科診療装置であって、前記接続部は、前記セルを前記カートに対して個々に着脱自在に接続することを特徴とする。
【００１３】
このような構成によれば、カートに対してセル単位でセルを着脱できるため、所望するセルのみを在宅訪問歯科診療装置に対して搭載したり分離させたりすることができる。
【００１４】
請求項４に記載の発明は、請求項３に記載の在宅訪問歯科診療装置であって、前記接続部は、前記カートに備えられた支柱に取り付けられるフック部材と、前記セルに接続され前記フック部材に引っ掛け可能な吊下げ部材と、を有することを特徴とする。
【００１５】
このような構成によれば、簡易な構成により、カートに対してセル単位でセルを着脱することができる。また、セルをカートから取り外した際に、ユーザは、セルに接続された吊下げ部材を持ってセルを運搬することができる。
【００１６】
請求項５に記載の発明は、請求項３に記載の在宅訪問歯科診療装置であって、前記接続部は、前記カートに備えられた支柱に取り付けられる枝部材と、前記セルの上面に設けられ前記枝部材が挿入する円筒部材と、を有することを特徴とする。
【００１７】
このような構成によれば、簡易な構成により、カートに対してセル単位でセルを着脱することができる。また、セルを枝部材によりしっかりと支持できるため、セルをカートに対してより安定的に装着することができる。
【００１８】
請求項６に記載の発明は、請求項３に記載の在宅訪問歯科診療装置であって、前記接続部は、前記カートに備えられた支柱に固定される略Ｕ字形状に湾曲して形成された湾曲部材と、前記セルに設けられ前記湾曲部材に引っ掛け可能な棒部材と、を有することを特徴とする。
【００１９】
このような構成によれば、より簡易な構成により、カートに対してセル単位でセルを着脱することができる。また、セルのカートへの着脱作業をより迅速に行うことができる。
【００２０】
請求項７に記載の発明は、請求項１または請求項２に記載の在宅訪問歯科診療装置であって、前記複数のセルのうちの少なくとも２個以上のセルを連結する連結部をさらに備え、前記接続部は、前記連結部により連結された２個以上のセルを前記カートに対して一括して着脱自在に接続することを特徴とする。
【００２１】
このような構成によれば、カートに対して２個以上のセルを有するブロック単位でセルを着脱できるため、複数のセルをまとめて効率よく、在宅訪問歯科診療装置に対して搭載したり分離させたりすることができる。
【００２２】
請求項８に記載の発明は、請求項１から請求項７のいずれか１項に記載の在宅訪問歯科診療装置であって、前記複数のセルのうちの一つは、コンプレッサ、モータ、および排唾用バキューム装置のうちのコンプレッサのみを収納するセルであることを特徴とする。
【００２３】
このような構成によれば、特に重いコンプレッサを、モータおよび排唾用バキューム装置と分離したセルに収納することができる。これにより、コンプレッサが故障した場合には、該コンプレッサを収納するセルのみを交換等すればよいし、一方、モータまたは排唾用バキューム装置が故障した場合には、あわせてコンプレッサを収納するセルまで交換等しなくても済むため、交換コストを低減することができる。また、重いコンプレッサを収納するセルを他から分離して運搬することができるため、運搬作業の労力を軽減することが可能となる。
【００２４】
請求項９に記載の発明は、請求項１から請求項８のいずれか１項に記載の在宅訪問歯科診療装置であって、前記セルの前記カートに対する移動ずれを抑える保持部材をさらに備えていることを特徴とする。
【００２５】
このような構成によれば、カートに接続されたセルが例えば運搬時に移動ずれを起こして荷崩れしてしまうことを防止することができる。
【００２６】
請求項１０に記載の発明は、請求項１から請求項９のいずれか１項に記載の在宅訪問歯科診療装置であって、前記カートには、コンセントを備え外部電源から電力を受けて前記コンセントに該電力を供給する電力供給部が設けられていることを特徴とする。
【００２７】
このような構成によれば、コンプレッサ等の電力が必要な器材が収納されているセルにつながるプラグをカートに設けられたコンセントに接続することにより、電力が必要な器材が収納されているセルに対して容易に電力を供給して動作させることが可能となる。
【００２８】
請求項１１に記載の発明は、請求項１から請求項１０のいずれか１項に記載の在宅訪問歯科診療装置であって、前記カートは、キャスタが設けられたベース部を有する第１カート部と、該第１カート部の前記ベース部上に配置される第２カート部とを備え、前記接続部は、前記セルを前記第２カート部に着脱自在に接続することを特徴とする。
【００２９】
このような構成によれば、屋外では、第１カート部および第２カート部を備えるカートを使用して在宅訪問歯科診療装置を搬送し、一方、屋内では、第１カート部を取り外したカートを使用して在宅訪問歯科診療装置を搬送することができる。したがって、第１カート部に付着した汚れを在宅訪問先の屋内に持ち込むことを防止することが可能となり、屋内の衛生を保つことができる。
【発明の効果】
【００３０】
本発明によれば、在宅訪問先での歯科診療に使用する器材の全部を一括して運搬できるとともに、該器材の一部を交換、修理、運搬することが可能な在宅訪問歯科診療装置を提供することができる。
【図面の簡単な説明】
【００３１】
【図１】本発明の第１の実施形態に係る在宅訪問歯科診療装置の全体構成を示す図であり、（ａ）は斜視図、（ｂ）は左側面図、（ｃ）は背面図である。
【図２】（ａ）は、図１に示される第１ブロックを示す斜視図であり、（ｂ）は、図１に示される第２ブロックを示す斜視図である。
【図３】本発明の第２の実施形態に係る在宅訪問歯科診療装置の全体構成を示す斜視図である。
【図４】複数のセルが接続された第２カート部を第１カート部から分離した状態を示す斜視図である。
【図５】複数のセルが接続された第２カート部を後方から見た斜視図である。
【図６】（ａ）は、図３に示されるフック部材を示す斜視図であり、（ｂ）は、支柱に取り付けられたフック部材の挿通孔が開いた状態を示す斜視図である。
【図７】カートから分離されたセルを示す斜視図である。
【図８】カートから分離された２個のセルを吊下げ部材を用いて運搬する様子を示す斜視図である。
【図９】複数のセルが接続された第２カート部を載置台上に載せる様子を示す斜視図である。
【図１０】第２の実施形態の変形例に係る在宅訪問歯科診療装置の全体構成を示す斜視図である。
【図１１】本発明の第３の実施形態に係る在宅訪問歯科診療装置の全体構成を示す斜視図である。
【図１２】１個のセルとともに示すカートの分解斜視図である。
【図１３】第１支柱の上端に接続されるショートタイプ用継手を示す斜視図である。
【図１４】第１カート部の拡大背面図であり、（ａ）はペダルが踏まれた状態を示し、（ｂ）はペダルが踏まれていない状態を示す。
【図１５】第１支柱および第２支柱に取り付けられる枝部材を示す拡大斜視図である。
【図１６】第１支柱の最下方位置に取り付けられる枝部材を示す拡大斜視図である。
【図１７】（ａ）は、図１５のＡから見た拡大図であり、（ｂ）は、図１７（ａ）のＢ−Ｂ線に沿う断面図である。
【図１８】ロック機構の変形例を示す概略断面図である。
【図１９】複数のセルがカバーで包まれる様子を示す斜視図である。
【図２０】在宅訪問歯科診療装置に搭載されるセルを分割して運搬する様子を示す斜視図である。
【図２１】２個のセルを運搬する様子を示す斜視図である。
【図２２】電力供給部を説明するための斜視図である。
【図２３】変形例に係る電力供給部を説明するための斜視図である。
【図２４】本発明の第４の実施形態に係る在宅訪問歯科診療装置の全体構成を示す斜視図である。
【図２５】１個のセルとともに示すカートの斜視図である。
【図２６】接続部の湾曲部材を示す拡大斜視図である。
【図２７】セルを後方から見た斜視図である。
【発明を実施するための形態】
【００３２】
本発明の実施形態について、適宜図面を参照しながら詳細に説明する。
なお、以下に示す図面において、同一の部材または相当する部材には同一の参照符号を付している。また、部材のサイズおよび形状は、説明の便宜のため、変形または誇張して模式的に表す場合がある。
【００３３】
〔第１の実施形態〕
まず、図１および図２を参照して、本発明の第１の実施形態に係る在宅訪問歯科診療装置１００について説明する。
図１は、本発明の第１の実施形態に係る在宅訪問歯科診療装置１００の全体構成を示す図であり、（ａ）は斜視図、（ｂ）は左側面図、（ｃ）は背面図である。図２（ａ）は、図１に示される第１ブロックを示す斜視図であり、図２（ｂ）は、図１に示される第２ブロックを示す斜視図である。なお、説明を明確にするため、図１に示すように前後左右上下の方向を設定する（以降の図でも同様）。
【００３４】
図１に示すように、本発明の第１の実施形態に係る在宅訪問歯科診療装置１００は、在宅訪問先での歯科診療に用いる器材を収納するための複数のセル１１１〜１１３と、複数のセル１１１〜１１３の少なくとも一部を搬送するためのカート１５０と、セル１１１〜１１３をカート１５０に着脱自在に接続する接続部１７０と、を備えている。
【００３５】
在宅訪問歯科診療装置１００は、在宅訪問先で使用するための歯科診療装置である。本発明において、「在宅訪問先」の用語は、歯科診療を受ける患者の自宅のほか、老人ホーム等の施設を含む各種往診先にも適用される概念として使用する。セル１１１〜１１３に収納される在宅訪問先での歯科診療に用いる器材としては、歯科治療用ハンドピース、モータ、コンプレッサ、排唾用バキューム装置、歯科材料、薬品、ポータブルレントゲン装置、照明器具、患者頭部保持装置、生体情報測定装置、レーザ装置、情報端末、訪問診療用マニュアル等が挙げられる。
【００３６】
セル１１１〜１１３は、予め定められた最小サイズの基準立体形状における前方から正面視して横寸法（左右方向の寸法）および高さ寸法（上下方向の寸法）をそれぞれ別個に予め定められた整数倍して規定される直方体の内部に収まるサイズに設定されている。セルの最小サイズの基準立体形状は、ここでは直方体としているが、特に直方体に限定されるものではなく、例えば球体でもよく、多面体でもよい。
【００３７】
ここでは、セル１１１，１１３は、基準立体形状に対応したサイズに設定されており、セル１１２は、基準立体形状における高さ寸法を約２倍して規定される直方体に対応したサイズに設定されている。但し、セルのサイズは、前記サイズに限定されるものではなく、例えば、基準立体形状における横寸法を約２倍して規定される直方体に対応したサイズに設定されてもよく、基準立体形状における横寸法および高さ寸法の両方を約２倍して規定される直方体に対応したサイズに設定されてもよい。また、セルの形状は、特に直方体に限定されるものではなく、例えば球体でもよく、多面体でもよい。
【００３８】
本実施形態では、在宅訪問歯科診療装置１００は、複数のセル１１１〜１１３のうちの少なくとも２個以上のセルを連結する連結部１３０をさらに備えている。そして、接続部１７０は、連結部１３０により連結された２個以上のセルをカート１５０に対して一括して着脱自在に接続するものである。ここでは、複数のセル１１１〜１１３は、連結部１３０により連結された４個のセル１１１を有する上方に配置される第１ブロック１１５と、同様に連結部１３０により連結された１個のセル１１２および２個のセル１１３を有する下方に配置される第２ブロック１１６とに分割可能とされている。
【００３９】
カート１５０は、キャスタ１５２が設けられ下部に配置されるベース部１５１と、該ベース部１５１に接続される略鉛直方向に延在する左右一対の支柱１５５と、一対の支柱１５５の上方端部同士を連結する取っ手１５６と、一対の支柱１５５の中間部同士を連結する上支持棒１５７および下支持棒１５８（図１（ｃ）参照）とを有している。
【００４０】
ベース部１５１の下面には、複数の接地部１５３が設けられており、これにより、在宅訪問歯科診療装置１００は、床（図示せず）上に安定的に支持される。
【００４１】
上支持棒１５７および下支持棒１５８上には、突出部１７１が設けられている。この突出部１７１は、上支持部１３２に形成された凹部１７２（図２も参照）に係合可能とされている。図１中の符号１０１は、第１ブロック１１５の上に覆うように配置されるヘッド部を示す。ヘッド部１０１は、器材等を置くトレーとしても使用できるし、在宅訪問先においてセル１１１〜１１３等を載せる載置台としても使用できる。
【００４２】
図２（ａ）に示すように、セル１１１は、引出しタイプのセルであり、前方が開口された箱状の本体ケース１２１と、本体ケース１２１の内部に医師や助手等のユーザが操作部１２３を持って出し入れできる内ケース１２２とを備えている。一方、図２（ｂ）に示すように、セル１１２は、横方向開閉扉タイプのセルであり、前方が開口された箱状の本体ケース１２４（図１（ｂ）参照）と、本体ケース１２４の開口をユーザが操作部１２６を持って右から左に横方向に回動して開閉できる扉１２５とを備えている。セル１１３は、縦方向開閉扉タイプのセルであり、前方が開口された箱状の本体ケース１２７と、本体ケース１２７の開口をユーザが操作部１２９を持って上から下に縦方向に回動して開閉できる扉１２８とを備えている。ただし、セル１１１〜１１３の構造は、前記した構造に特に限定されるものではなく、在宅訪問先での歯科診療に用いる器材を収納可能であれば、適宜変更可能である。
【００４３】
セル１１１〜１１３は、例えば樹脂製であるが、特にこれに限定されるものではなく、例えば布や皮等の柔軟材料を用いて形成されたソフトケースであってもよい。
【００４４】
複数のセル１１１〜１１３のうちの一つであるセル１１２は、コンプレッサ、モータ、および排唾用バキューム装置（いずれも図示せず）のうちのコンプレッサのみを収納するセルである。セル１１２には、コンプレッサを使用する歯科治療用ハンドピース等の関連器材も収納されている。また、セル１１３は、コンプレッサ、モータ、および排唾用バキューム装置のうちの、モータおよび排唾用バキューム装置の一方のみを収納するセルである。モータを収納するセル１１３には、モータを使用する歯科治療用ハンドピース等の関連器材も収納されており、排唾用バキューム装置を収納するセル１１３には、排唾用バキューム装置を使用する歯科治療用ハンドピース等の関連器材も収納されている。ただし、セル１１１〜１１３に収納される器材は、適宜変更して設定され得る。
【００４５】
連結部１３０は、連結対象の複数のセルの下に配置される下支持部１３１と、連結対象の複数のセルの上に配置される上支持部１３２と、下支持部１３１および上支持部１３２を例えばねじ等を用いて連結する連結バー１３３とを有している。下支持部１３１および上支持部１３２は、器材等を置くトレーとしても使用可能である。
【００４６】
上支持部１３２の後面（背面）には、上支持棒１５７、下支持棒１５８上に設置された突出部１７１（図１（ｃ）参照）が挿入されて係合する凹部１７２が形成されている。凹部１７２に突出部１７１が係合された状態で図示しない弾性部材により付勢されて爪部１７３の先端が突出部１７１の側面に形成された穴部（図示せず）に入り込むことにより、第１ブロック１１５、第２ブロック１１６がカート１５０に着脱自在に接続されるように構成されている。図２中の符号１７４は、爪部１７３を突出部１７１（図１（ｃ）参照）から離間させてカート１５０から第１ブロック１１５、第２ブロック１１６を取り外すための摘み部を示す。突出部１７１、凹部１７２、爪部１７３、および摘み部１７４は、接続部１７０の構成要素である。
【００４７】
ただし、接続部１７０の構造は、前記した構造に特に限定されるものではなく、セル１１１〜１１３をカート１５０に着脱自在に接続可能であれば、適宜変更可能である。
【００４８】
また、上支持部１３２の左右両端部近傍には、孔を有する一対の係合部１３４が設けられている。別途用意されたベルト１０２に取付けられた金具を係合部１３４の孔に係合させることにより、ベルト１０２を用いた第１ブロック１１５、第２ブロック１１６の運搬が可能となっている。
【００４９】
次に、前記のように構成された在宅訪問歯科診療装置１００の作用について説明する。
在宅訪問先での歯科診療を行う場合、歯科医師や助手等のユーザは、まず、在宅訪問先で使用する器材を該在宅訪問先に応じて適切に選択した上で、これらを収納した複数のセル１１１〜１１３を準備する。
【００５０】
在宅訪問先に持ち運ぶセル１１１〜１１３が準備できると、ユーザは、準備できた複数のセル１１１〜１１３を連結部１３０により連結可能なブロック単位に分ける。この後、ユーザは、ブロックごとにそれぞれ連結部１３０により連結して、例えば図１および図２に示すような第１ブロック１１５および第２ブロック１１６を構成する。
【００５１】
続いて、ユーザは、第１ブロック１１５、第２ブロック１１６を、接続部１７０により、カート１５０に対して一括して着脱自在に接続する。これにより、特定の在宅訪問先に適合した在宅訪問歯科診療装置１００が完成する。
【００５２】
続いて、ユーザは、カート１５０を用いて在宅訪問歯科診療装置１００を在宅訪問先に搬送する。そして、在宅訪問歯科診療装置１００を使用した在宅訪問先での歯科診療が行われる。
【００５３】
前記したように、本実施形態に係る在宅訪問歯科診療装置１００は、在宅訪問先での歯科診療に用いる器材を収納するための複数のセル１１１〜１１３と、複数のセル１１１〜１１３の少なくとも一部を搬送するためのカート１５０と、セル１１１〜１１３をカート１５０に着脱自在に接続する接続部１７０とを備えている。
【００５４】
本実施形態によれば、複数のセル１１１〜１１３の全部をカート１５０に接続して装着することができるとともに、複数のセル１１１〜１１３の一部をカート１５０に接続して装着することもできる。
したがって、例えば複数のセル１１１〜１１３の一部が故障または損傷した場合には該当するセルのみを分離させて交換または修理することができるため、多大な交換コストが生じたり、修理時に故障または損傷のないセルが利用できなかったりすることを防止できる。
また、例えば複数のセル１１１〜１１３の一部しか使用しない場合には使用予定のセルのみを在宅訪問先に持ち運べばよいため、運搬作業の労力を軽減できるとともに、在宅訪問先での在宅訪問歯科診療装置１００による占有スペースを縮小できる。さらには、在宅訪問歯科診療装置１００の運搬途中に階段等の運搬困難な場所があっても、複数のセル１１１〜１１３を分割して運搬できるため、運搬作業の労力を軽減できる。
このように、本実施形態によれば、在宅訪問先での歯科診療に使用する器材の全部を一括して運搬できるとともに、該器材の一部を交換、修理、運搬することが可能な在宅訪問歯科診療装置１００を提供できる。
【００５５】
また、本実施形態では、セル１１１〜１１３は、予め定められた最小サイズの基準立体形状における正面視して横寸法および高さ寸法、すなわち左右方向寸法、および上下方向寸法をそれぞれ別個に予め定められた整数倍して規定される直方体の内部に収まるサイズに設定されている。ただし、セルは、基準立体形状における側面視して横寸法および高さ寸法、すなわち前後方向寸法、および上下方向寸法をそれぞれ別個に予め定められた整数倍して規定される直方体の内部に収まるサイズに設定されるように構成されてもよく、あるいは、基準立体形状における正面視および側面視して横寸法および高さ寸法、すなわち左右方向寸法、前後方向寸法、および上下方向寸法をそれぞれ別個に予め定められた整数倍して規定される直方体の内部に収まるサイズに設定されるように構成されてもよい。
【００５６】
このような構成によれば、セル１１１〜１１３に収納される例えばコンプレッサ等の特定の器材の種類が複数存在したり、新しい種類が開発されたりする場合には、現在使用しているセルと自在に交換することができる。また、カートに接続されるセル１１１〜１１３の配置を、必要に応じて容易に変更することができる。すなわち、在宅訪問歯科診療装置１００に搭載するセル１１１〜１１３を適宜選択して、自在に組合わせ、追加、変更、除去を行うことが可能となり、利便性が高まる。
【００５７】
また、本実施形態では、在宅訪問歯科診療装置１００は、複数のセル１１１〜１１３のうちの少なくとも２個以上のセルを連結する連結部１３０をさらに備えており、接続部１７０は、連結部１３０により連結された２個以上のセルをカート１５０に対して一括して着脱自在に接続する。
【００５８】
このような構成によれば、カート１５０に対して２個以上のセルを有するブロック単位でセルを着脱できるため、複数のセル１１１〜１１３をまとめて効率よく、在宅訪問歯科診療装置１００に対して搭載したり分離させたりすることができる。
【００５９】
また、本実施形態では、複数のセル１１１〜１１３のうちの一つであるセル１１２は、コンプレッサ、モータ、および排唾用バキューム装置のうちのコンプレッサのみを収納するセルである。
【００６０】
このような構成によれば、特に重いコンプレッサを、モータおよび排唾用バキューム装置と分離したセル１１２に収納することができる。これにより、コンプレッサが故障した場合には、該コンプレッサを収納するセル１１２のみを交換等すればよいし、一方、モータまたは排唾用バキューム装置が故障した場合には、あわせてコンプレッサを収納するセル１１２まで交換等しなくても済むため、交換コストを低減することができる。また、重いコンプレッサを収納するセル１１２を他から分離して運搬することができるため、運搬作業の労力を軽減することが可能となる。
【００６１】
〔第２の実施形態〕
次に、図３〜図１０を参照して、本発明の第２の実施形態に係る在宅訪問歯科診療装置２００について、前記した第１の実施形態に係る在宅訪問歯科診療装置１００と相違する点を中心に説明する。
【００６２】
第２の実施形態に係る在宅訪問歯科診療装置２００は、接続部２７０がセル２１１，２１２をカート２５０に対して個々に着脱自在に接続する点で、第１の実施形態に係る在宅訪問歯科診療装置１００と相違している。
【００６３】
図３は、本発明の第２の実施形態に係る在宅訪問歯科診療装置２００の全体構成を示す斜視図である。図４は、複数のセルが接続された第２カート部を第１カート部から分離した状態を示す斜視図である。図５は、複数のセルが接続された第２カート部を後方から見た斜視図である。
【００６４】
図３および図４に示すように、本発明の第２の実施形態に係る在宅訪問歯科診療装置２００は、在宅訪問先での歯科診療に用いる器材を収納するための複数のセル２１１，２１２と、複数のセル２１１，２１２の少なくとも一部を搬送するためのカート２５０と、セル２１１，２１２をカート２５０に着脱自在に接続する接続部２７０と、を備えている。
【００６５】
セル２１１，２１２に収納される在宅訪問先での歯科診療に用いる器材の具体例は、第１の実施形態と同様であるため、その説明を省略する。
【００６６】
また、第２の実施形態においても、第１の実施形態と同様に、セル２１１，２１２は、予め定められた最小サイズの基準立体形状における前方から正面視して横寸法および高さ寸法をそれぞれ別個に予め定められた整数倍して規定される直方体の内部に収まるサイズに設定されている。
【００６７】
第２の実施形態では、カート２５０は、キャスタ２５２が設けられ下部に配置されるベース部２５１を有する第１カート部２６１と、該第１カート部２６１のベース部２５１上に配置される第２カート部２６２とを備えている。
【００６８】
第１カート部２６１は、前記したベース部２５１と、該ベース部２５１に接続される略鉛直方向に延在する左右一対の支柱２５５と、一対の支柱２５５の両上方端部に対して上下方向に伸縮自在に接続される略逆Ｕ字形状の取っ手２５６とを有している。第２カート部２６２は、第１カート部２６１のベース部２５１上に載置されるベース部２６５と、該ベース部２６５に接続される略逆Ｕ字形状の支柱２６６とを有している。
【００６９】
ここでは、第２カート部２６２は、第１カート部２６１のベース部２５１上に載置されて運搬されるようになっている。ただし、第２カート部２６２が第１カート部２６１に対して着脱自在に連結されて、第２カート部２６２が第１カート部２６１に対して移動不能に保持されるように構成されてもよい。
【００７０】
セル２１１，２１２は、ここでは、布や皮等の柔軟材料を用いて形成されたソフトケースである。セル２１１は、縦方向開閉扉タイプのセルであり、直方体を呈している。セル２１１は、前方が開口された箱状の本体ケース２２７と、本体ケース２２７の開口をユーザが操作部２２９を持って上から下に縦方向に回動して開閉できる扉２２８とを備えている。扉２２８は、本体ケース２２７の開口端にファスナ（図示せず）により取り付けられるように構成されている。セル２１２は球体を呈している。セル２１２は、上方が開口された半球状の本体ケース２２４と、本体ケース２２４の開口を開閉できる半球状の蓋部２２５とを備えている。蓋部２２５は、本体ケース２２４の開口端にファスナ（図示せず）により取り付けられるように構成されている。
【００７１】
なお、セル２１１，２１２のサイズおよび形状は、図３等に示すものに限定されるものではない。例えば、図１０に示すように、同じサイズおよび形状のセル２１１が使用されてもよい。また、セル２１１，２１２の構造は、前記した構造に特に限定されるものではなく、在宅訪問先での歯科診療に用いる器材を収納可能であれば、例えば引出しタイプ等、適宜変更可能である。また、セル２１１，２１２の材質も、特に限定されるものではなく、例えば樹脂、金属等であってもよい。
【００７２】
複数のセル２１１，２１２のうちの一つである図３の左下のセル２１１は、ここでは、コンプレッサ、モータ、および排唾用バキューム装置（いずれも図示せず）のうちのコンプレッサのみを収納するセルである。図３の左下のセル２１１には、コンプレッサを使用する歯科治療用ハンドピース等の関連器材も収納されている。また、図３の右下のセル２１１は、ここでは、コンプレッサ、モータ、および排唾用バキューム装置のうちの、モータおよび排唾用バキューム装置を収納するセルである。図３の右下のセル２１１には、モータを使用する歯科治療用ハンドピース等の関連器材、および排唾用バキューム装置を使用する歯科治療用ハンドピース等の関連器材も収納されている。ただし、セル２１１，２１２に収納される器材は、適宜変更して設定され得る。
【００７３】
図５に示すように、在宅訪問歯科診療装置２００は、セル２１１，２１２のカート２５０に対する移動ずれを抑える保持部材２０３をさらに備えている。保持部材２０３は、左右方向に延びる一対の帯状カバー２０４，２０５を有している。帯状カバー２０４，２０５の各々の開放時に互いに近接する一端が第２カート部２６２の支柱２６６に固定されており、帯状カバー２０４，２０５によりセル２１１，２１２を包むように覆って閉じた後に（図３および図４参照）、他端同士を留め具（図示せず）により留めることが可能とされている。
【００７４】
図３〜図５に示すように、接続部２７０は、セル２１１，２１２をカート２５０に対して個々に着脱自在に接続するものである。接続部２７０は、カート２５０に備えられた支柱２６６に取り付けられるフック部材２７１と、セル２１１，２１２に接続されフック部材２７１に引っ掛け可能な吊下げ部材２７２とを有している。
【００７５】
図６（ａ）は、図３に示されるフック部材を示す斜視図であり、図６（ｂ）は、支柱に取り付けられたフック部材の挿通孔が開いた状態を示す斜視図である。
【００７６】
図６に示すように、フック部材２７１は、支柱２６６が挿入される孔部２７３が一端部に形成された本体部２７４と、本体部２７４にピン２７５のまわりで揺動可能に取り付けられる揺動片２７６とを有している。揺動片２７６は、弾性部材（図示せず）により図６の時計回りに回動する方向に付勢されており、ストッパ（図示せず）により回動が規制された状態において、図６（ａ）に示す挿通孔２７７が形成される。揺動片２７６が下方に押圧されると、図６（ｂ）に示すように、フック部材２７１の挿通孔２７７が開放されて、吊下げ部材２７２を挿通孔２７７に挿通して引っ掛けることが可能となっている。なお、本体部２７４と揺動片２７６とが樹脂で一体成形されて、揺動片２７６が弾性変形するように構成されてもよい。
【００７７】
フック部材２７１の孔部２７３の内径は、これに挿入される支柱２６６の外径よりも所定寸法だけ大きく設定されている。そして、フック部材２７１に吊下げ部材２７２を介してセル２１１，２１２の自重がかかった場合に、フック部材２７１が傾いてフック部材２７１の孔部２７３の内面が支柱２６６の外面に強く押し当てられる結果生じる摩擦力によって、フック部材２７１が支柱２６６に係止されるようになっている。
【００７８】
図７は、カートから分離されたセルを示す斜視図である。図８は、カートから分離された２個のセルを吊下げ部材を用いて運搬する様子を示す斜視図である。
【００７９】
図７に示すように、セル２１１の本体ケース２２７の上側左右両端部には、孔を有する一対の係合部２１７が設けられている。吊下げ部材２７２を係合部２１７の孔に挿通して係合させることにより、吊下げ部材２７２をセル２１１に接続できる。したがって、吊下げ部材２７２をフック部材２７１に引っ掛けることができるとともに、吊下げ部材２７２を用いたセル２１１の運搬が可能となっている。また、セル２１１の本体ケース２２７の上面には、窪み部２１８が形成されており、窪み部２１８はトレー２０６を収容するために用いることができる。
【００８０】
図８に示すように、２個のセル２１１を上下に２個積み重ねて、吊下げ部材２７２を２個のセル２１１の係合部２１７の孔に挿通して係合させることにより、２個のセル２１１が連結され得る。したがって、２個のセルを吊下げ部材２７２を用いて運搬することができる。なお、吊下げ部材２７２の代わりに、別途用意された長尺のベルト部材を使用すると、２個のセル２１１を容易に連結できる観点から、より好ましい。
【００８１】
次に、前記のように構成された在宅訪問歯科診療装置２００の作用について説明する。
在宅訪問先での歯科診療を行う場合、歯科医師や助手等のユーザは、まず、在宅訪問先で使用する器材を該在宅訪問先に応じて適切に選択した上で、これらを収納した複数のセル２１１，２１２を準備する。
【００８２】
在宅訪問先に持ち運ぶセル２１１，２１２が準備できると、ユーザは、準備できた複数のセル２１１，２１２を、接続部２７０により、カート２５０の第２カート部２６２に対して個々に着脱自在に接続する。
【００８３】
そして、複数のセル２１１，２１２が接続された第２カート部２６２が、第１カート部２６１のベース部２５１上に載置される。これにより、特定の在宅訪問先に適合した在宅訪問歯科診療装置２００が完成する。
【００８４】
続いて、ユーザは、カート２５０を用いて在宅訪問歯科診療装置２００を在宅訪問先に搬送する。在宅訪問先に到着すると、ユーザは、在宅訪問歯科診療装置２００から第１カート部２６１を取り外して例えば玄関先の屋外に置いておき、複数のセル２１１，２１２が接続された第２カート部２６２を、第２カート部２６２を使用して屋内に搬送する。
【００８５】
図９は、複数のセルが接続された第２カート部を載置台上に載せる様子を示す斜視図である。ここでは、第２カート部２６２のベース部２６５の内部に、脚部を折畳み可能な載置台２０７が収納されており、ベース部２６５から取り出されて脚部を延伸させた状態の載置台２０７上に、複数のセル２１１，２１２が接続された第２カート部２６２を載置する。これにより、セル２１１，２１２の位置が程よい高さに設定される。そして、在宅訪問歯科診療装置２００を使用した在宅訪問先での歯科診療が行われる。
【００８６】
このような第２の実施形態に係る在宅訪問歯科診療装置２００によれば、複数のセル２１１，２１２の全部をカート２５０に接続して装着することができるとともに、複数のセル２１１，２１２の一部をカート２５０に接続して装着することもできる。
【００８７】
したがって、第２の実施形態によっても、前記第１の実施形態と同様の作用効果を奏することができるため、前記第１の実施形態と共通の作用効果についての説明を省略する。そして、第２の実施形態によれば、さらに、前記第１の実施形態と異なる以下の作用効果を奏することができる。
【００８８】
すなわち、第２の実施形態では、接続部２７０は、セル２１１，２１２をカート２５０に対して個々に着脱自在に接続する。
【００８９】
このような構成によれば、カート２５０に対してセル単位でセル２１１，２１２を着脱できるため、所望するセルのみを在宅訪問歯科診療装置２００に対して搭載したり分離させたりすることができる。
【００９０】
また、第２の実施形態では、接続部２７０は、カート２５０に備えられた支柱２６６に取り付けられるフック部材２７１と、セル２１１，２１２に接続されフック部材２７１に引っ掛け可能な吊下げ部材２７２とを有している。
【００９１】
このような構成によれば、簡易な構成により、カート２５０に対してセル単位でセル２１１，２１２を着脱することができる。また、セル２１１，２１２をカート２５０から取り外した際に、ユーザは、セル２１１，２１２に接続された吊下げ部材２７２を持ってセル２１１，２１２を運搬することができる。
【００９２】
また、第２の実施形態では、在宅訪問歯科診療装置２００は、セル２１１，２１２のカート２５０に対する移動ずれを抑える保持部材２０３をさらに備えている。
【００９３】
このような構成によれば、カート２５０に接続されたセル２１１，２１２が例えば運搬時に移動ずれを起こして荷崩れしてしまうことを防止することができる。
【００９４】
また、第２の実施形態では、カート２５０は、キャスタ２５２が設けられたベース部２５１を有する第１カート部２６１と、該第１カート部２６１のベース部２５１上に配置される第２カート部２６２とを備えており、接続部２７０は、セル２１１，２１２を第２カート部２６２に着脱自在に接続する。
【００９５】
このような構成によれば、屋外では、第１カート部２６１および第２カート部２６２を備えるカート２５０を使用して在宅訪問歯科診療装置２００を搬送し、一方、屋内では、第１カート部２６１を取り外したカート２５０を使用して在宅訪問歯科診療装置２００を搬送することができる。したがって、第１カート部２６１に付着した汚れを在宅訪問先の屋内に持ち込むことを防止することが可能となり、屋内の衛生を保つことができる。
【００９６】
〔第３の実施形態〕
次に、図１１〜図２３を参照して、本発明の第３の実施形態に係る在宅訪問歯科診療装置３００について、前記した第２の実施形態に係る在宅訪問歯科診療装置２００と相違する点を中心に説明する。第３の実施形態に係る在宅訪問歯科診療装置３００は、特に接続部３７０の構造が、第２の実施形態と相違している。
【００９７】
図１１は、本発明の第３の実施形態に係る在宅訪問歯科診療装置３００の全体構成を示す斜視図である。図１２は、１個のセルとともに示すカートの分解斜視図である。
【００９８】
図１１および図１２に示すように、本発明の第３の実施形態に係る在宅訪問歯科診療装置３００は、在宅訪問先での歯科診療に用いる器材を収納するための複数のセル３１１，３１２と、複数のセル３１１，３１２の少なくとも一部を搬送するためのカート３５０と、セル３１１，３１２をカート３５０に着脱自在に接続する接続部３７０と、を備えている。
【００９９】
セル３１１，３１２に収納される在宅訪問先での歯科診療に用いる器材の具体例は、第２の実施形態と同様であるため、その説明を省略する。
【０１００】
また、第３の実施形態においても、第２の実施形態と同様に、セル３１１，３１２は、予め定められた最小サイズの基準立体形状における前方から正面視して横寸法および高さ寸法をそれぞれ別個に予め定められた整数倍して規定される直方体の内部に収まるサイズに設定されている。
【０１０１】
ここでは、セル３１１は、基準立体形状に対応したサイズに設定されており、セル３１２は、基準立体形状における高さ寸法を約２倍して規定される直方体に対応したサイズに設定されている。但し、セルのサイズは、前記サイズに限定されるものではない。
【０１０２】
カート３５０は、キャスタ３５２が設けられ下部に配置されるベース部３５１を有する第１カート部３６１と、該第１カート部３６１のベース部３５１上に配置される第２カート部３６２とを備えている。
【０１０３】
第１カート部３６１は、前記したベース部３５１と、該ベース部３５１に設けられ第２カート部３６２を第１カート部３６１に対して着脱自在に連結する連結機構３５４とを有している。第２カート部３６２は、第１カート部３６１のベース部３５１上に載置されるベース部３６５と、該ベース部３６５に接続される支柱３６６とを有している。ベース部３６５にはキャスタ３６９が設けられている。第１カート部３６１のベース部３５１には、該ベース部３５１上に第２カート部３６２のベース部３６５が載置された場合にキャスタ３６９が入り込んで格納される穴部３５３が形成されている。
【０１０４】
支柱３６６は、ベース部３６５側の第１支柱３６７（図１２参照）と、第１支柱３６７の上端に接続される第２支柱３６８（図１２参照）とを備える。例えば、第１支柱３６７の下端の円筒部の内面に、第１支柱３６７の上端の円筒部の外面が嵌め込まれて、固定部材（図示せず）により固定される。
【０１０５】
第１支柱３６７の上部には、第１支柱３６７に接続される下方のセル３１１，３１２を運搬する際に使用可能な取っ手３８１が設けられている。また、第２支柱３６８の上部には、在宅訪問歯科診療装置３００全体を運搬する際に使用可能な取っ手３８２（図１２参照）が設けられている。
【０１０６】
図１３は、第１支柱の上端に接続されるショートタイプ用継手を示す斜視図である。
図１３に示すように、ショートタイプ用継手３６９には、取っ手３８３が設けられている。第２支柱３６８に接続される上方の４個のセル３１１は不要であるというユーザは、第２支柱３６８の代わりにショートタイプ用継手３６９を第１支柱３６７の上端に接続して固定することにより、取っ手３８３を持って下方のセル３１１，３１２を運搬することができる。また、ショートタイプ用継手３６９を接続した軽量小型の在宅訪問歯科診療装置３００を複数台揃えることにより、運搬作業を分割して、より軽減することも可能である。
【０１０７】
図１４は、第１カート部の拡大背面図であり、（ａ）はペダルが踏まれた状態を示し、（ｂ）はペダルが踏まれていない状態を示す。
図１４に示すように、連結機構３５４は、ベース部３５１に設けられたピン３４１のまわりで揺動可能な一対の係止片３４２と、ベース部３５１に設けられたピン３４３のまわりで揺動可能なペダル３４４とを有している。ペダル３４４が踏まれると、係止片３４２の一端に設けられた被押圧部３４５が下から上に押圧されて係止片３４２が揺動し、係止片３４２の他端に設けられた爪部３４６が外側に開く方に移動するように構成されている。そして、係止片３４２は、弾性部材（図示せず）により、常時爪部３４６が内側に閉じる方向に付勢されている。
【０１０８】
したがって、第２カート部３６２（図１２参照）が第１カート部３６１のベース部３５１上に載置されるように上から下に移動されると、係止片３４２の爪部３４６が第２カート部３６２のベース部３６５の底板に形成された係合穴３６３（図１２参照）の端縁に接触して外側に開く方に移動させられた後、爪部３４６が係合穴３６３内に完全に入り込むと、弾性部材（図示せず）により係止片３４２が閉じる方に移動させられて、爪部３４６が係合穴３６３に係合する。これにより、第２カート部３６２が第１カート部３６１に対して着脱自在に連結され、第２カート部２６２が第１カート部２６１に対して移動不能に保持されるようになっている。
【０１０９】
図１１に示すように、セル３１１，３１２は、ここでは、布や皮等の柔軟材料を用いて形成されたソフトケースである。セル３１１は、縦方向開閉扉タイプのセルであり、直方体を呈している。セル３１１は、前方が開口された箱状の本体ケース３２７と、本体ケース３２７の開口をユーザが操作部３２９を持って上から下に縦方向に回動して開閉できる扉３２８とを備えている。扉３２８は、本体ケース３２７の開口端にファスナ（図示せず）により取り付けられるように構成されている。セル３１２は、横方向開閉扉タイプのセルであり、直方体を呈している。セル３１２は、前方が開口された箱状の本体ケース３２４と、本体ケース３２４の開口をユーザが操作部３２６を持って右から左に横方向に回動して開閉できる扉３２５とを備えている。扉３２５は、本体ケース３２４の開口端にファスナ（図示せず）により取り付けられるように構成されている。
【０１１０】
なお、セル３１１，３１２のサイズおよび形状は、図１１に示すものに限定されるものではない。例えば、同じサイズおよび形状のセル３１１が使用されてもよい。また、セル３１１，３１２の構造は、前記した構造に特に限定されるものではなく、在宅訪問先での歯科診療に用いる器材を収納可能であれば、例えば引出しタイプ等、適宜変更可能である。また、セル３１１，３１２の材質も、特に限定されるものではななく、例えば樹脂、金属等であってもよい。
【０１１１】
複数のセル３１１，３１２のうちの一つであるセル３１２は、コンプレッサ、モータ、および排唾用バキューム装置（いずれも図示せず）のうちのコンプレッサのみを収納するセルである。セル３１２には、コンプレッサを使用する歯科治療用ハンドピース等の関連器材も収納されている。また、図１１の右列最下段および下から２段目のセル３１１は、コンプレッサ、モータ、および排唾用バキューム装置のうちの、モータおよび排唾用バキューム装置の一方のみを収納するセルである。モータを収納するセル３１１には、モータを使用する歯科治療用ハンドピース等の関連器材も収納されており、排唾用バキューム装置を収納するセル３１１には、排唾用バキューム装置を使用する歯科治療用ハンドピース等の関連器材も収納されている。ただし、セル３１１，３１２に収納される器材は、適宜変更して設定され得る。
【０１１２】
セル３１１の左右の両側面には、支柱３６６の外周面の径に対応した径を有する円筒の一部で構成された円弧面３１４が形成されている。このような構成によれば、セル３１１がカート３５０に接続された状態で、セル３１１の円弧面３１４が支柱３６６の外周面に当接されてセル３１１の移動が抑制されるため、セル３１１が支柱３６６により安定的に保持されることになる。また、セル３１２にも、セル３１１と同様な円弧面３１４が形成されている。なお、円弧面３１４は、セル３１１，３１２の左右いずれか片側の側面のみに形成されていてもよいが、左右の両側面に形成されていると、セル３１１，３１２を支柱３６６の両側いずれの側にもセットできるため、より好ましい。
【０１１３】
接続部３７０は、セル３１１，３１２をカート３５０に対して個々に着脱自在に接続するものである。接続部３７０は、カート３５０に備えられた支柱３６６に対して水平方向に沿って取り付けられる棒状の枝部材３７１，３７２と、セル３１１，３１２の上面に設けられ枝部材３７１，３７２が挿入する円筒部材３７３とを有している。
【０１１４】
図１５は、第１支柱および第２支柱に取り付けられる枝部材を示す拡大斜視図である。図１６は、第１支柱の最下方位置に取り付けられる枝部材を示す拡大斜視図である。図１７（ａ）は、図１５のＡから見た拡大図であり、図１７（ｂ）は、図１７（ａ）のＢ−Ｂ線に沿う断面図である。
【０１１５】
図１５に示すように、第１支柱３６７および第２支柱３６８に取り付けられる枝部材３７１は、第１支柱３６７、第２支柱３６８を貫通した状態で、第１支柱３６７、第２支柱３６８に固定して設けられている。また、図１６に示すように、第１支柱３６７の最下方位置に取り付けられる枝部材３７２は、基端側に雄ねじ部３７４が形成されており、第１支柱３６７の最下方位置に取付け、取外しが可能とされている。したがって、枝部材３７２が第１支柱３６７に取り付けられている場合には、セル３１１を第１支柱３６７の最下方位置にセットでき、枝部材３７２が第１支柱３６７から取り外されている場合には、セル３１１の約２倍の高さ寸法を有するセル３１２を第１支柱３６７の最下方位置にセットできる。
【０１１６】
図１５および図１６に示すように、枝部材３７１，３７２の先端側には、セル３１１，３１２の枝部材３７１，３７２からの脱落を防止するためのロック機構３７５が設けられている。以下、枝部材３７１に設けられたロック機構３７５について説明するが、枝部材３７２に設けられたロック機構３７５も同様の構造である。
【０１１７】
図１７に示すように、ロック機構３７５は、枝部材３７１の軸直角方向に移動して枝部材３７１の外周面から径方向外方に出没可能なロック片３７６と、ロック片３７６を枝部材３７１の外周面から突出させる方向に付勢する弾性部材３７７とを有している。ロック片３７６は、弾性部材３７７により常時付勢されており、ストッパ（図示せず）に当接する位置に保持される。ロック片３７６には、先細となるように先端側に向けて上方に傾いた傾斜面３７８が形成されている。この傾斜面３７８は、曲面であっても平坦なテーパ面であってもよい。また、傾斜面３７８には、ユーザがロック片３７６を上昇させる際に指を入れて操作するための凹部３７９が形成されている。
【０１１８】
したがって、セル３１１を枝部材３７１に取り付ける場合には、セル３１１の上部がロック片３７６の傾斜面３７８に当接することにより、ロック片３７６が上昇して枝部材３７１の外周面から径方向内方に退避させられる。これにより、ユーザは、円筒部材３７３に枝部材３７１を挿入させながら、セル３１１を支柱３６６（図１２参照）側に押すことによって、セル３１１を枝部材３７１に容易に取り付けることができる。そして、セル３１１の側面がロック片３７６よりも支柱３６６側に来ると、ロック片３７６が弾性部材３７７の付勢力によって枝部材３７１の外周面から突出し、セル３１１は枝部材３７１にロックされて脱落が防止される。一方、セル３１１を枝部材３７１から取り外す場合には、ユーザは、ロック片３７６の凹部３７９に指を入れて持ち上げることにより、ロック片３７６が上昇して枝部材３７１の外周面から径方向内方に退避させられる。これにより、ユーザは、セル３１１を枝部材３７１から容易に取り外すことができる。
【０１１９】
ただし、セル３１１，３１２の枝部材３７１，３７２からの脱落を防止するためのロック機構の構造は、前記した構造に限定されるものではなく、適宜変更可能である。
図１８は、ロック機構の変形例を示す概略断面図である。
図１８に示すように、変形例に係るロック機構３８５は、枝部材３７１，３７２の外面に形成された凹部３８６と、円筒部材３７３の内面に形成され凹部３８６に入り込んで係合可能な凸部３８７とを有している。このような構成によれば、ユーザが円筒部材３７３に枝部材３７１を挿入させ、凸部３８７が凹部３８６に係合された位置で、セル３１１を枝部材３７１にロックさせることができる。この場合、枝部材３７１，３７２の外面に複数の凹部３８６（図１８参照）を形成すれば、ユーザの所望の位置でセル３１１を枝部材３７１にロックできるため、より好ましい。
【０１２０】
枝部材３７１，３７２の断面外形は、ここでは円形状であるが、これに限定されるものではなく、セル３１１，３１２の枝部材３７１，３７２の軸まわりでの回転防止のために、楕円や多角形であってもよい。また、枝部材３７１，３７２の断面は、ここでは中実であるが、中空であってもよい。
【０１２１】
図１９は、複数のセルがカバーで包まれる様子を示す斜視図である。
図１９に示すように、在宅訪問歯科診療装置３００は、複数（ここでは４個）のセル３１１を包むカバー３０３をさらに備えている。カバー３０３は、前方が開口された箱状の本体カバー３０４と、本体カバー３０４の開口をユーザがファスナ３０６により上から下に縦方向に回動して開閉できる前面カバー３０５とを備えている。また、図１１に示すように、カバー３０３は、支柱３６６の下方に接続される２個のセル３１１および１個のセル３１２を包む場合にも使用される。このような構成によれば、複数のセル３１１，３１２を衛生に保って運搬することができる。また、カバー３０３は、セル３１１，３１２のカート３５０に対する移動ずれを抑えて荷崩れを防止する保持部材としても機能することができる。
【０１２２】
図２０は、在宅訪問歯科診療装置３００に搭載されるセルを分割して運搬する様子を示す斜視図である。図２１は、２個のセルを運搬する様子を示す斜視図である。
【０１２３】
図２０に示すように、４個のセル３１１が接続されている第２支柱３６８を第１支柱３６７（図１２参照）と分離させることにより、在宅訪問歯科診療装置３００に搭載されるセル３１１，３１２を分割することができる。そして、別途用意されたベルト３０２に取付けられたリング状の金具３０７を枝部材３７１に係合させてロック機構３７５によりロックすることにより、ベルト３０２を用いた４個のセル３１１の運搬が可能である。
【０１２４】
また、図２１に示すように、別途用意されたベルト３０８に取付けられたリング状の金具３０７を、別途用意された両端にロック機構３７５が設けられた支持棒３０９に係合させてロック機構３７５によりロックすることにより、ベルト３０８を用いた２個のセル３１１の運搬が可能である。
【０１２５】
図２２は、電力供給部を説明するための斜視図である。
図２２に示すように、第２カート部３６２のベース部３６５には、コンセント３９１を備え外部電源（図示せず）から電力を受けてコンセント３９１に該電力を供給する電力供給部３９０が設けられている。また、電力供給部３９０は、外部電源から電力を受けるための先端にプラグが設けられた電源ケーブル（いずれも図示せず）を備えているか、あるいは別途用意された受電用の電源ケーブル（図示せず）の接続端子を備えている。
【０１２６】
そして、コンプレッサ等の電力が必要な器材が収納されているセル３１１，３１２から延出するケーブル３９２の先端に設けられたプラグ３９３が、第２カート部３６２に設けられたコンセント３９１に接続されるようになっている。
【０１２７】
図２３は、変形例に係る電力供給部を説明するための斜視図である。
図２３に示すように、枝部材３７１，３７２の根元近傍における第１支柱３６７の外周面にコンセント３９５を備える電力供給部３９４が設けられていてもよい。この場合、コンプレッサ等の電力が必要な器材が収納されているセル３１１，３１２につながるプラグ３９３が、第１支柱３６７の外周面に設けられたコンセント３９５に接続される。
【０１２８】
次に、前記のように構成された在宅訪問歯科診療装置３００の作用について説明する。
在宅訪問先での歯科診療を行う場合、歯科医師や助手等のユーザは、まず、在宅訪問先で使用する器材を該在宅訪問先に応じて適切に選択した上で、これらを収納した複数のセル３１１，３１２を準備する。
【０１２９】
在宅訪問先に持ち運ぶセル３１１，３１２が準備できると、ユーザは、準備できた複数のセル３１１，３１２を、接続部３７０により、カート３５０の第２カート部３６２に対して個々に着脱自在に接続する。
【０１３０】
そして、複数のセル３１１，３１２が接続された第２カート部３６２が、第１カート部３６１のベース部３５１上に載置される。このとき、連結機構３５４により、第２カート部３６２が第１カート部３６１に対して着脱自在に連結される。これにより、特定の在宅訪問先に適合した在宅訪問歯科診療装置３００が完成する。
【０１３１】
続いて、ユーザは、カート３５０を用いて在宅訪問歯科診療装置３００を在宅訪問先に搬送する。在宅訪問先に到着すると、ユーザは、ペダル３４４を踏んで在宅訪問歯科診療装置３００から第１カート部３６１を取り外して例えば玄関先の屋外に置いておき、複数のセル３１１，３１２が接続された第２カート部３６２を、第２カート部３６２を使用して屋内に搬送する。そして、在宅訪問歯科診療装置３００を使用した在宅訪問先での歯科診療が行われる。
【０１３２】
このような第３の実施形態に係る在宅訪問歯科診療装置３００によれば、複数のセル３１１，３１２の全部をカート３５０に接続して装着することができるとともに、複数のセル３１１，３１２の一部をカート３５０に接続して装着することもできる。
【０１３３】
したがって、第３の実施形態によっても、前記第２の実施形態と同様の作用効果を奏することができるため、前記第２の実施形態と共通の作用効果についての説明を省略する。そして、第３の実施形態によれば、さらに、前記第２の実施形態と異なる以下の作用効果を奏することができる。
【０１３４】
すなわち、第３の実施形態では、接続部３７０は、カート３５０に備えられた支柱３６６に取り付けられる枝部材３７１，３７２と、セル３１１，３１２の上面に設けられ枝部材３７１，３７２が挿入する円筒部材３７３とを有している。
【０１３５】
このような構成によれば、簡易な構成により、カート３５０に対してセル単位でセル３１１，３１２を着脱することができる。また、セル３１１，３１２を枝部材３７１，３７２によりしっかりと支持できるため、セル３１１，３１２をカート３５０に対してより安定的に装着することができる。
【０１３６】
また、第３の実施形態では、カート３５０には、コンセント３９１を備え外部電源から電力を受けてコンセント３９１に該電力を供給する電力供給部３９０が設けられている。
【０１３７】
このような構成によれば、コンプレッサ等の電力が必要な器材が収納されているセル３１１，３１２につながるプラグ３９３をカート３５０に設けられたコンセント３９１に接続することにより、電力が必要な器材が収納されているセル３１１，３１２に対して容易に電力を供給して動作させることが可能となる。
【０１３８】
〔第４の実施形態〕
次に、図２４〜図２７を参照して、本発明の第４の実施形態に係る在宅訪問歯科診療装置４００について、前記した第２の実施形態に係る在宅訪問歯科診療装置２００と相違する点を中心に説明する。第４の実施形態に係る在宅訪問歯科診療装置４００は、特に接続部４７０の構造が、第２の実施形態と相違している。
【０１３９】
図２４は、本発明の第４の実施形態に係る在宅訪問歯科診療装置４００の全体構成を示す斜視図である。図２５は、１個のセルとともに示すカートの斜視図である。図２６は、接続部の湾曲部材を示す拡大斜視図である。図２７は、セルを後方から見た斜視図である。
【０１４０】
図２４および図２５に示すように、本発明の第４の実施形態に係る在宅訪問歯科診療装置４００は、在宅訪問先での歯科診療に用いる器材を収納するための複数のセル４１１，４１２と、複数のセル４１１，４１２の少なくとも一部を搬送するためのカート４５０と、セル４１１，４１２をカート４５０に着脱自在に接続する接続部４７０とを備えている。
【０１４１】
セル４１１，４１２に収納される在宅訪問先での歯科診療に用いる器材の具体例は、第２の実施形態と同様であるため、その説明を省略する。
【０１４２】
また、第４の実施形態においても、第２の実施形態と同様に、セル４１１，４１２は、予め定められた最小サイズの基準立体形状における前方から正面視して横寸法および高さ寸法をそれぞれ別個に予め定められた整数倍して規定される直方体の内部に収まるサイズに設定されている。
【０１４３】
ここでは、セル４１１は、基準立体形状に対応したサイズに設定されており、セル４１２は、基準立体形状における高さ寸法を約２倍して規定される直方体に対応したサイズに設定されている。但し、セルのサイズは、前記サイズに限定されるものではない。
【０１４４】
カート４５０は、キャスタ４５２が設けられ下部に配置されるベース部４５１と、該ベース部１５１に接続される略鉛直方向に延在する支柱４５３とを有している。支柱４５３は、ベース部１５１上の後側に横方向に延在して設けられる基部４５４と、基部４５４の両端部から立設される左右一対の支柱部４５５とを備えている。また、カート４５０は、一対の支柱部４５５の上方端部同士を連結する取っ手４５６と、一対の支柱部４５５の中間部同士を連結する支持板４５７、４５８、４５９とを有している。
【０１４５】
セル４１１，４１２は、ここでは、布や皮等の柔軟材料を用いて形成されたソフトケースである。セル４１１は、縦方向開閉扉タイプのセルであり、直方体を呈している。セル４１１は、前方が開口された箱状の本体ケース４２７と、本体ケース４２７の開口をユーザが操作部４２９を持って上から下に縦方向に回動して開閉できる扉４２８とを備えている。扉４２８は、本体ケース４２７の開口端にファスナ（図示せず）により取り付けられるように構成されている。セル４１２は、横方向開閉扉タイプのセルであり、直方体を呈している。セル４１２は、前方が開口された箱状の本体ケース４２４と、本体ケース４２４の開口をユーザが操作部４２６を持って右から左に横方向に回動して開閉できる扉４２５とを備えている。扉４２５は、本体ケース４２４の開口端にファスナ（図示せず）により取り付けられるように構成されている。
【０１４６】
なお、セル４１１，４１２のサイズおよび形状は、図２４に示すものに限定されるものではない。例えば、同じサイズおよび形状のセル４１１が使用されてもよい。また、セル４１１，４１２の構造は、前記した構造に特に限定されるものではなく、在宅訪問先での歯科診療に用いる器材を収納可能であれば、例えば引出しタイプ等、適宜変更可能である。また、セル４１１，４１２の材質も、特に限定されるものではなく、例えば樹脂、金属等であってもよい。
【０１４７】
複数のセル４１１，４１２のうちの一つであるセル４１２は、コンプレッサ、モータ、および排唾用バキューム装置（いずれも図示せず）のうちのコンプレッサのみを収納するセルである。セル４１２には、コンプレッサを使用する歯科治療用ハンドピース等の関連器材も収納されている。また、図２４の右列中段および最下段のセル４１１は、コンプレッサ、モータ、および排唾用バキューム装置のうちの、モータおよび排唾用バキューム装置の一方のみを収納するセルである。モータを収納するセル４１１には、モータを使用する歯科治療用ハンドピース等の関連器材も収納されており、排唾用バキューム装置を収納するセル４１１には、排唾用バキューム装置を使用する歯科治療用ハンドピース等の関連器材も収納されている。ただし、セル４１１，４１２に収納される器材は、適宜変更して設定され得る。
【０１４８】
接続部４７０は、セル４１１，４１２をカート４５０に対して個々に着脱自在に接続するものである。接続部４７０は、カート４５０に備えられた支柱４５３の支持板４５７、４５８、４５９に固定される略Ｕ字形状に湾曲して形成された湾曲部材４７１と、セル４１１，４１２に設けられ湾曲部材４７１に引っ掛け可能な棒部材４７２とを有している。
【０１４９】
図２６に示すように、湾曲部材４７１は、例えば金属板を成形加工したものであり、支持板４５７、４５８、４５９に対して、ねじ部材４７３により着脱可能に取り付けられている。したがって、例えばセル４１１の約２倍の高さ寸法を有するセル４１２をカート４５０にセットする場合には、セル４１２の背面側に位置する不要な湾曲部材４７１を取り外すことができる。これにより、セル４１２の背面と湾曲部材４７１との干渉を防止できる。ただし、湾曲部材４７１は、支持板４５７、４５８、４５９に溶接等により固定されていてもよい。この場合、例えばセル４１２の背面に湾曲部材４７１との干渉防止用の凹部（図示せず）が形成され得る。
【０１５０】
湾曲部材４７１は、略Ｕ字形状に湾曲した湾曲部４７４を有しており、湾曲部４７４の深さは、棒部材４７２が引っ掛けられた状態で例えば運搬時に脱落することがない深さに設定されている。
【０１５１】
図２７に示すように、棒部材４７２は、セル４１１の後側（背面側）上部に、水平方向の一直線上に一対設けられている。棒部材４７２は、例えば金属製である。また、セル４１１の上面には、ユーザが持って運搬したり例えば着脱時に移動させたりするためのベルト状の取っ手４３５が設けられている。なお、セル４１２にも、セル４１１と同様の棒部材４７２および取っ手４３５が設けられている。
【０１５２】
次に、前記のように構成された在宅訪問歯科診療装置４００の作用について説明する。
在宅訪問先での歯科診療を行う場合、歯科医師や助手等のユーザは、まず、在宅訪問先で使用する器材を該在宅訪問先に応じて適切に選択した上で、これらを収納した複数のセル４１１，４１２を準備する。
【０１５３】
在宅訪問先に持ち運ぶセル４１１，４１２が準備できると、ユーザは、準備できた複数のセル４１１，４１２を、接続部４７０により、カート４５０に対して個々に着脱自在に接続する。これにより、特定の在宅訪問先に適合した在宅訪問歯科診療装置１００が完成する。
【０１５４】
続いて、ユーザは、カート４５０を用いて在宅訪問歯科診療装置４００を在宅訪問先に搬送する。そして、在宅訪問歯科診療装置４００を使用した在宅訪問先での歯科診療が行われる。
【０１５５】
このような第４の実施形態に係る在宅訪問歯科診療装置４００によれば、複数のセル４１１，４１２の全部をカート４５０に接続して装着することができるとともに、複数のセル４１１，４１２の一部をカート４５０に接続して装着することもできる。
【０１５６】
したがって、第４の実施形態によっても、前記第２の実施形態と同様の作用効果を奏することができるため、前記第２の実施形態と共通の作用効果についての説明を省略する。そして、第４の実施形態によれば、さらに、前記第２の実施形態と異なる以下の作用効果を奏することができる。
【０１５７】
すなわち、第４の実施形態では、接続部４７０は、カート４５０に備えられた支柱４５３に固定される略Ｕ字形状に湾曲して形成された湾曲部材４７１と、セル４１１，４１２に設けられ湾曲部材４７１に引っ掛け可能な棒部材４７２とを有している。
【０１５８】
このような構成によれば、より簡易な構成により、カート４５０に対してセル単位でセル４１１，４１２を着脱することができる。また、セル４１１，４１２のカート４５０への着脱作業をより迅速に行うことができる。
【０１５９】
以上、本発明について、実施形態に基づいて説明したが、本発明は、前記実施形態に記載した構成に限定されるものではなく、前記実施形態に記載した構成を適宜組み合わせ乃至選択することを含め、その趣旨を逸脱しない範囲において適宜その構成を変更することができるものである。また、前記実施形態の構成の一部について、追加、削除、置換をすることができる。
【符号の説明】
【０１６０】
１００  在宅訪問歯科診療装置
１１１〜１１３  セル
１３０  連結部
１５０  カート
１７０  接続部
２００  在宅訪問歯科診療装置
２０３  保持部材
２１１，２１２  セル
２５０  カート
２５１  ベース部
２５２  キャスタ
２６１  第１カート部
２６２  第２カート部
２６６  支柱
２７０  接続部
２７１  フック部材
２７２  吊下げ部材
３００  在宅訪問歯科診療装置
３０３  カバー（保持部材）
３１１，３１２  セル
３５０  カート
３５１  ベース部
３５２  キャスタ
３６１  第１カート部
３６２  第２カート部
３６６  支柱
３７０  接続部
３７１，３７２  枝部材
３７３  円筒部材
３９０，３９４  電力供給部
３９１，３９５  コンセント
４００  在宅訪問歯科診療装置
４１１，４１２  セル
４５０  カート
４７０  接続部
４７１  湾曲部材
４７２  棒部材
【図１】
2014144134.tif 000003
【図２】
2014144134.tif 000004
【図３】
2014144134.tif 000005
【図４】
2014144134.tif 000006
【図５】
2014144134.tif 000007
【図６】
2014144134.tif 000008
【図７】
2014144134.tif 000009
【図８】
2014144134.tif 000010
【図９】
2014144134.tif 000011
【図１０】
2014144134.tif 000012
【図１１】
2014144134.tif 000013
【図１２】
2014144134.tif 000014
【図１３】
2014144134.tif 000015
【図１４】
2014144134.tif 000016
【図１５】
2014144134.tif 000017
【図１６】
2014144134.tif 000018
【図１７】
2014144134.tif 000019
【図１８】
2014144134.tif 000020
【図１９】
2014144134.tif 000021
【図２０】
2014144134.tif 000022
【図２１】
2014144134.tif 000023
【図２２】
2014144134.tif 000024
【図２３】
2014144134.tif 000025
【図２４】
2014144134.tif 000026
【図２５】
2014144134.tif 000027
【図２６】
2014144134.tif 000028
【図２７】
2014144134.tif 000029